(57)【要約】【課題】支柱の上部にバッテリなどの重量物が配置された照明灯であっても、重量物と支柱とを確実に固定することができ、かつソーラーパネルの向きを調整可能となされている照明灯を提供する。【解決手段】前記ソーラーパネル３は、その背面側に配置された支持部５に支持され、前記支持部５は、下部に設けられた筒状の脚部５２が、前記支柱１の上部の受け板部１４に立設された受け部１５に回動可能に嵌め合わされるとともに、前記脚部５２の下部に設けられた固定板部５３に形成された固定板部側固定孔５４と、前記固定板部側固定孔５４に対応して受け板部１４に形成された受け板部側固定孔１６とに、挿入可能な固定具を介して、前記固定板部５３と受け板部１４とが固定されるようにする。【選択図】        図２
2015015117.tif 000002
【特許請求の範囲】
【請求項１】
設置面に立設された支柱と、前記支柱に取付られた照明部と、前記支柱の上部に設けられたソーラーパネルと、ソーラーパネルにより発生した電力を蓄電して前記照明部に電力を供給する蓄電池とを備えた照明灯であって、
前記ソーラーパネルは、その背面側に配置された支持部に支持され、前記支持部は、下部に設けられた筒状の脚部が、前記支柱の上部の受け板部に立設された受け部に回動可能に嵌め合わされるとともに、前記脚部の下部に設けられた固定板部に形成された固定板部側固定孔と、前記固定板部側固定孔に対応して受け板部に形成された受け板部側固定孔とに、挿入可能な固定具を介して、前記固定板部と受け板部とが固定されるようになされていることを特徴とする照明灯。
【請求項２】
脚部の固定板部に形成された前記固定板部側固定孔は、同心円状に形成された複数の円弧状の長孔を備え、
支柱の受け板部に設けられた前記受け板部側固定孔は、前記固定板部側固定孔に連通可能な複数の円弧状の長孔を備えたことを特徴とする請求項１に記載の照明灯。
【請求項３】
前記ソーラーパネルが支持される支持部に、蓄電池が収納される蓄電池収納部が形成されていることを特徴とする請求項１又は２に記載の照明灯。
【発明の詳細な説明】
【技術分野】
【０００１】
本発明は、太陽電池により起電された電力を用いて照明を行う照明灯に関するものである。
【背景技術】
【０００２】
従来より、太陽電池を利用して発電した電力を利用して照明を行う照明灯としては、様々なものが提案されている。
例えば特許文献１には、従来のソーラータイプの街路灯の場合には、バッテリボックスが支柱の下部に配置されているため、例えば台風や大雨等で洪水が発生し道路が浸水する事態を生じると、バッテリまで浸水し、バッテリが損傷するという課題を解消するために、支柱と、この支柱の上部に取り付けられた照明灯と、この照明灯の近傍に取り付けられた照明用のバッテリと、このバッテリを太陽光線から遮るように上記支柱上部に方向可変に取り付けられソーラーパネルとを備えた街路灯が開示されている。（特許文献１）
【先行技術文献】
【特許文献】
【０００３】
【特許文献２】特開２００３−５１２０８号公報
【発明の開示】
【発明が解決しようとする課題】
【０００４】
しかしながら、上記街路灯においては、支柱の上部に、照明灯とバッテリとソーラーパネルとが取付けられているため、上部の重量が大きくなり、従って照明灯とバッテリとソーラーパネルと支柱との固定を強固にする必要があり、かつ街路灯の設置場所において、ソーラーパネルの向きを太陽の方向に合わせて調整する構造となすことが必要とされている。
【０００５】
本発明は、支柱の上部にバッテリなどの重量物が配置された照明灯であっても、重量物と支柱とを確実に固定することができ、かつソーラーパネルの向きを調整可能となされている照明灯を提供せんとするものである。
【課題を解決するための手段】
【０００６】
上記目的を達成するために、本発明は次のような構成としている。
すなわち、本発明に係る照明灯は、設置面に立設された支柱と、前記支柱に取付られた照明部と、前記支柱の上部に設けられたソーラーパネルと、ソーラーパネルにより発生した電力を蓄電して前記照明部に電力を供給する蓄電池とを備えた照明灯であって、
前記ソーラーパネルは、その背面側に配置された支持部に支持され、前記支持部は、下部に設けられた筒状の脚部が、前記支柱の上部の受け板部に立設された受け部に回動可能に嵌め合わされるとともに、前記脚部の下部に設けられた固定板部に形成された固定板部側固定孔と、前記固定板部側固定孔に対応して受け板部に形成された受け板部側固定孔とに、挿入可能な固定具を介して、前記固定板部と受け板部とが固定されるようになされていることを特徴とするものである。
【０００７】
また本発明に係る照明灯は、脚部の固定板部に形成された前記固定板部側固定孔は、同心円状に形成された複数の円弧状の長孔を備え、
支柱の受け板部に設けられた前記受け板部側固定孔は、前記固定板部側固定孔に連通可能な複数の円弧状の長孔を備えるようにしてもよい。
【０００８】
また本発明に係る照明灯は、前記ソーラーパネルが支持される支持部に、蓄電池が収納される蓄電池収納部が形成されているようにしてもよい。
【発明の効果】
【０００９】
本発明に係る照明灯によれば、前記ソーラーパネルは、その背面側に配置された支持部に支持され、前記支持部は、下部に設けられた筒状の脚部が、前記支柱の上部の受け板部に立設された受け部に回動可能に嵌め合わされるとともに、前記脚部の下部に設けられた固定板部に形成された固定板部側固定孔と、前記固定板部側固定孔に対応して受け板部に形成された受け板部側固定孔とに、挿入可能な固定具を介して、前記固定板部と受け板部とが固定されるようになされているので、設置する場所によりソーラーパネルの向きを太陽の方向に合わせて調整することができる。
【００１０】
また本発明に係る照明灯によれば、脚部の固定板部に形成された前記固定板部側固定孔は、同心円状に形成された複数の円弧状の長孔を備え、支柱の受け板部に設けられた前記受け板部側固定孔は、前記固定板部側固定孔に連通可能な複数の円弧状の長孔を備えるようになされているので、前記受け部を軸として、ソーラーパネルの向きを自在に調整することができる。
【００１１】
また本発明に係る照明灯によれば、前記ソーラーパネルが支持される支持部に、蓄電池が収納される蓄電池収納部が形成されているので、ソーラーパネルを支柱の上部に取付けさえすれば、蓄電池収納部も取付けられ、照明灯を効率よく設置することができる。
【図面の簡単な説明】
【００１２】
【図１】本発明に係る照明灯の実施の一形態を示す正面図である。
【図２】図１の上部の拡大の、（イ）は側面図、（ロ）は背面図である。
【図３】図２（イ）の要部の縦断面図である。
【図４】本発明に係る照明灯の支持部の脚部を示す、（イ）は正面図、（ロ）は平面図である。
【図５】本発明に係る照明灯の受け板部を示す、（イ）は正面図、（ロ）は平面図である。
【発明を実施するための形態】
【００１３】
次に、本発明を実施するための形態について図面を参照し、具体的に説明する。
【００１４】
図面において、Ｐは本願発明に係る照明灯であり、１は設置面Ｇに立設された円筒状の支柱、２は支柱１の上部に取付けられ、周囲を照らすための灯部２１を備えた照明部、３は支柱１の上部に設けられたソーラーパネル、４はソーラーパネル３により発生した電力を蓄電して前記照明部２の灯部２１に電力を供給する蓄電池、５は前記ソーラーパネル３の背面側に配置され、ソーラーパネル３を支持する支持部であり、照明灯Ｐは、照明部１、支柱２、ソーラーパネル３、蓄電池４及び支持部５から主に構成されている。
【００１５】
前記照明部２は、支柱１の上部側面から突設された取付部２２の先端に、正面視で前後にやや傾斜されるとともに、その下面に灯部２１が設けられた台形箱状の筐体２３が取付けられて形成されている。
【００１６】
前記ソーラーパネル３は、その背面側に配置された縦長の長方形状の平板からなる支持部５に支持され、該支持部５の背面側には縦長の箱状の蓄電池収納部５１が取付けられてなり、該蓄電池収納部５１に前記蓄電池４が複数収納されて、蓄電池収納部５１が形成されている。さらに、前記支持部５の下部に相当する前記蓄電池収納部５１の背面から下方に向けて円筒状の脚部５２が垂下され、該脚部５２の下端には円板状の固定板部５３が取付けられている。そして、前記固定板部５３には固定板部側固定孔５４が形成され、該固定板部側固定孔５４は同心円状に形成された複数の円弧状の長孔に形成されてなり、本実施形態においては、前記固定板部側固定孔５４は、８分の１円弧状の長孔の両端部を後記するボルト６の雄ねじ部の半径分だけ拡げた長さの長孔、又はそれ以上の長さの長孔が９０度の間隔をあけて同心円状に形成されている。そして、前記固定板部側固定孔５４の各間には、前記脚部５２の側面から固定板部５３の上面にわたり、三角形状の縦リブ５５が９０度の間隔をあけて４個取付けられている。前記脚部５２に対する固定板部５３の取付けは、固定板部５３の中央部に設けられた貫通孔５９に前記脚部５２の下端が挿入され、前記貫通孔５９の内周縁と前記下端の外周とが溶接されて取付けられている。なお、前記脚部５２の下端は、固定板部５３の下面と面一とはせずに、前記下面より上方に位置するようにして、脚部５２が後記する支柱本体１２の上端の受け部１５に嵌め合わされた際、その下端が受け板部１４の上面に当接しないように取付けられている。また本実施形態においては、前記蓄電池４は鉛蓄電池であり、蓄電量に応じて２〜４個の蓄電池４が蓄電池収納部５１に収納されている。
【００１７】
前記ソーラーパネル３と支持部５の外形はほぼ同じ大きさであり、また前記ソーラーパネル３は、一般には太陽電池モジュール３１と、該太陽電池モジュール３１の外周部に沿って取付けられる枠体３２とを備えてなり、前記支持部５の外周において、支持部５の背面側から枠体３２にボルトが複数貫通されて、前記ソーラーパネル３と支持部５とが固定されている。さらに、前記蓄電池収納部５１は支持部５よりも小さく形成され、前記支持部５の中央付近において、支持部５の前面側から蓄電池収納部５１にボルトが複数貫通されて、前記支持部５と蓄電池収納部５１とが固定されている。そして、円筒状の前記脚部５２の上端には縦長の長方形状の平板部５６が溶接されて取付けられており、該平板部５６と前記蓄電池収納部５１の背面とがボルトにより固定されている。また、前記平板部５６の背面と前記脚部５２の側面にわたり、三角形状の補強板材５７が取付けられている。
【００１８】
また、前記ソーラーパネル３が太陽光を受光しやすいように、太陽電池モジュール３１の受光面である上面が傾斜されて、ソーラーパネル３が支柱１に支持されている。したがって、前記支持部５及び蓄電池収納部５１も傾斜されて支柱１に支持されて、かつ蓄電池収納部５１は支持部５よりも小さく形成されているので、前記支持部５に覆われて、蓄電池収納部５１に太陽光ができる限り当たらないようになされており、蓄電池収納部５１内の温度上昇を少しでも抑制し、蓄電池収納部５１に収納されている蓄電池４への温度上昇による悪影響を抑えるようになされている。また、縦長の箱状の前記蓄電池収納部５１の一方の側面板５８は着脱可能に複数箇所でねじ止めされて固定されており、蓄電池４の交換等の作業を行う際等に、前記側面板５８が着脱できるようになされている。
【００１９】
支柱１は設置面に当接するベースプレート１１の上面に縦長の円筒管からなる支柱本体１２が立設され、前記ベースプレート１１上面と支柱本体１２下端側面とにわたり、略三角形状の補強リブ板１３が９０度の間隔をあけて４個取付けられ、前記支柱本体１２の上端には円板状の受け板部１４が取付けられ、さらに該受け板部１４には、その中央部に貫通して設けられた取付孔１９に下部円筒状の受け部１５の下部が挿入されて立設固定されている。そして、該受け部１５は前記支持部５の脚部５２より小径となされてなり、前記脚部５２が前記受け部１５に嵌め合わされて、前記脚部５２が前記受け部１５に対して回動可能となされている。
【００２０】
また前記受け板部１４には、前記支持部５の固定板部５３に形成されている固定板部側固定孔５４に対応した位置に受け板部側固定孔１６が形成されており、支持部５の脚部５２が支柱本体１２の上端の受け部１５に嵌め合わされた後、前記固定板部側固定孔５４と受け板部側固定孔１６とに固定具であるボルト６を挿通しナットＮを螺着して固定することにより、ボルト６を介して、前記固定板部５３と受け板部１４とが固定されるようになされている。
【００２１】
なお前記支柱本体１２上部の背面側には、開口部１７が形成されており、それを塞ぐように蓋体１８が着脱可能にその四隅をねじ止めされて取付けられている。このような構造にすることにより、前記固定板部側固定孔５４と受け板部側固定孔１６とにボルト６を挿通しナットＮを螺着する際等に、前記蓋体１８を取外し、開口部１７から支柱１内に作業者が手を入れて、作業できるようになされている。
【００２２】
また、支柱１の受け板部１４に設けられた前記受け板部側固定孔１６は、前記固定板部側固定孔５４に連通可能な複数の円弧状の長孔に形成されてなり、本実施形態においては、前記固定板部側固定孔５４と同様に、８分の１円弧状の長孔の両端部を前記ボルト６の雄ねじ部の半径分だけ拡げた長さの長孔、又はそれ以上の長さの長孔４個が９０度の間隔をあけて同心円状に形成されている。そして、上述のように、前記固定板部側固定孔５４と受け板部側固定孔１６とにそれぞれ４本のボルト６を挿通しナットＮを螺着して固定することにより、前記固定板部５３と受け板部１４とが固定されるようになされている。
【００２３】
このように、前記固定板部側固定孔５４と受け板部側固定孔１６とに、８分の１円弧状の長孔の両端部を前記ボルト６の雄ねじ部の半径分だけ拡げた長さの長孔、又はそれ以上の長さの長孔４個が９０度の間隔をあけて同心円状に形成されているので、照明灯Ｐを設置する場所において、ソーラーパネル３の向きを太陽の方向に合わせて３６０度自在に調整することができ、かつ支柱１の上部に重量物である鉛蓄電池を収納した蓄電池収納部５１が配置された構造であっても、蓄電池収納部５１と支柱１とを強固に固定することができる。
【００２４】
また以上に述べた構造とすることにより、太陽電池モジュール３１と蓄電池収納部５１内に収納されている蓄電池４と照明部２の灯部２１とを繋ぐリード線は、ソーラーパネル３の裏面側から蓄電池収納部５１を通されて、中空構造となされている支持部５の脚部５１と支柱１上部の受け部１５と照明部２の取付部２２及び筐体２３の中を通されて、太陽電池モジュール３１と蓄電池４と灯部２１とが結線されている。
【００２５】
なお本実施形態においては、前記固定板部側固定孔５４及び受け板部側固定孔１６はともに、８分の１円弧状の長孔の両端部を前記ボルト６の雄ねじ部の半径分だけ拡げた長さの長孔、又はそれ以上の長さの長孔４個が９０度の間隔をあけて同心円状に形成されているが、特にその個数が４個に限定されるものではなく、また固定板部側固定孔５４及び受け板部側固定孔１６とが同じ個数で形成される必要もなく、要は、照明灯Ｐを設置する場所において、ソーラーパネル３の向きを太陽の方向に合わせて調整することができ、そのためには好ましくは３６０度自在に調整することができ、かつ蓄電池収納部５１と支柱１とを強固に固定することができるように、適宜設計なされればよい。
【００２６】
また支柱１、支持部５は、一般には強度的に安定しておりコストの安い鉄鋼材料を適宜加工したものが好適に用いられるが、ステンレス合金、アルミニウム合金などの他の金属材料を用いてもよい。また耐食性や耐候性を高めるために金属めっきや塗装を施してもよい。
【符号の説明】
【００２７】
１      支柱
１１    ベースプレート
１２    支柱本体
１３    補強リブ板
１４    受け板部
１５    受け部
１６    受け板部側固定孔
１７    開口部
１８    蓋体
１９    取付孔
２      照明部
２１    灯部
２２    取付部
２３    筐体
３      ソーラーパネル
３１    太陽電池モジュール
３２    枠体
４      蓄電池
５      支持部
５１    蓄電池収納部
５２    脚部
５３    固定板部
５４    固定板部側固定孔
５５    縦リブ
５６    平板部
５７    補強板材
５８    側面板
５９    貫通孔
６      ボルト
Ｐ      照明灯
Ｇ      設置面
Ｎ      ナット
【図１】
2015015117.tif 000003
【図２】
2015015117.tif 000004
【図３】
2015015117.tif 000005
【図４】
2015015117.tif 000006
【図５】
2015015117.tif 000007